(57)【要約】【課題】第１伝送経路に何らかの障害が発生した場合に、使用する伝送経路を第２伝送経路に変更するまでの時間を短縮することが望まれていた。【解決手段】スパニングツリー用ブリッジ装置１１は、ポート１１ａが受信するＢＰＤＵを監視し当該ＢＰＤＵが所定の第１の期間検出されなかった場合にタイムアウト検出信号を出力するタイムアウト検出手段と、ポート１１ａへの受信信号を監視し当該受信した信号がこの第１の期間よりも短い第２の期間検出されなかった場合にリンク断検出信号を出力するリンク断検出手段と、タイムアウト検出信号或いはリンク続断検出信号のいずれか一方を入力した場合にポート１１ａを閉鎖ポートとし且つポート１１ｂをルートポートと変更するポート設定変更手段とを備える。【選択図】　　　図１
2004134971.tif 000002
【特許請求の範囲】
【請求項１】
第１ポートおよび第２ポートを有し当該各ポートの状態をスパニングツリープロトコルに従って変更し、ＢＰＤＵを前記第１ポートから出力する第１のスパニングツリー用ブリッジ装置と、前記第１ポートに接続された第１伝送経路と、前記第２ポートに接続された第２伝送経路と、前記第１伝送経路の他端に接続された第３ポートおよび前記第２伝送経路の他端に接続された第４ポートを有し当該第３および第４ポートの状態を前記スパニングツリープロトコルに従って変更する第２のスパニングツリー用ブリッジ装置とから構成される通信システムであって、
前記第２のスパニングツリー用ブリッジ装置は、前記第３ポートが受信する前記ＢＰＤＵを監視し当該ＢＰＤＵが所定の第１の期間検出されなかった場合にタイムアウト検出信号を出力するタイムアウト検出手段と、前記第３ポートへの受信信号を監視し当該受信した信号が前記第１の期間よりも短い第２の期間検出されなかった場合にリンク断検出信号を出力するリンク断検出手段と、前記タイムアウト検出信号或いはリンク続断検出信号のいずれか一方を入力した場合に前記第３ポートを閉鎖ポートとし且つ前記第４ポートをルートポートと変更するポート設定変更手段とを備えたことを特徴とする通信システム。
【請求項２】
請求項１記載の通信システムにおいて、
前記第１伝送経路は、前記第１のスパニングツリー用ブリッジ装置とのリンクが切断しているリンク断を検出し、当該リンク断を検出したときに前記第２のスパニングツリー用ブリッジ装置への信号出力を停止する第１伝送装置を備えたことを特徴とする通信システム。
【請求項３】
スパニングツリー用ブリッジ装置において、
ルートポートとして設定され、第１伝送経路を介して他のスパニングツリー用ブリッジ装置に接続された第５ポートと、
閉鎖ポートとして設定され、第２伝送経路を介して前記他のスパニングツリー用ブリッジ装置に接続された第６ポートと、
前記他のスパニングツリー用ブリッジ装置から前記第５ポートに入力されるＢＰＤＵを監視し、当該ＢＰＤＵが所定の第１の期間検出されなかった場合にタイムアウト検出信号を出力するタイムアウト検出手段と、前記第５ポートへの信号入力が前記第１の期間よりも短い第２の期間検出されなかった場合にリンク断検出信号を出力するリンク断検出手段と、前記タイムアウト検出信号或いはリンク続断検出信号のいずれか一方を入力した場合に前記第５ポートを閉鎖ポートとし且つ前記第６ポートをルートポートと変更するポート設定変更手段と、
を備えたことを特徴とするスパニングツリー用ブリッジ装置。
【請求項４】
ルートポートとして設定され第１伝送経路を介して他のスパニングツリー用ブリッジ装置に接続された第５ポートと、閉鎖ポートとして設定され第２伝送経路を介して前記他のスパニングツリー用ブリッジ装置に接続された第６ポートとを有するスパニングツリー用ブリッジ装置のポート状態変更方法において、
（ａ）前記他のスパニングツリー用ブリッジ装置から前記第５ポートに入力されるＢＰＤＵを監視するステップと、
（ｂ）前記第５ポートへの信号入力を監視するステップと、
（ｃ）前記ステップ（ａ）において前記ＢＰＤＵが所定の第１の期間検出されなかった場合、或いは前記ステップ（ｂ）において前記信号入力が前記第１の期間よりも短い第２の期間検出されなかった場合に前記第５ポートを閉鎖ポートとし且つ前記第６ポートをルートポートと変更するステップと、
を備えたことを特徴とするポート状態変更方法。
【発明の詳細な説明】
【０００１】
【発明の属する技術分野】
本発明は、一方を現用系伝送経路とし他方を予備系伝送経路として使用される２つの伝送経路に接続された少なくとも２つのスパニングツリー用ブリッジ装置から構成される通信システム、この通信システムで使用されるスパニングツリー用ブリッジ装置およびスパニングツリー用ブリッジ装置のポート状態変更方法に関し、特に、一方のスパニングツリー用ブリッジ装置が、現用系伝送経路で障害が発生した場合に使用する伝送経路を現用系伝送経路から予備系伝送経路に変更する手段を備えた通信システム、この通信システムで使用されるスパニングツリー用ブリッジ装置およびスパニングツリー用ブリッジ装置のポート状態変更方法に関する。
【０００２】
【従来の技術】
複数のブリッジ装置を複数の伝送経路で接続する際に、各ブリッジ装置にはスパニングツリープロトコルが実装される。スパニングツリープロトコルは、複数のブリッジ装置を接続する伝送経路が複数存在する場合に現用系伝送経路として一つの伝送経路だけを使用し、他の伝送経路を予備系伝送経路として使用するためのプロトコルである。以下の説明において、スパニングツリープロトコルが実装されたブリッジ装置をスパニングツリー用ブリッジ装置と呼ぶ。各スパニングツリー用ブリッジ装置は、各伝送経路と接続されるポートを有しており、このポートからコンフィギュレーションＢＰＤＵ（Ｂｒｉｄｇｅ　Ｐｒｏｔｏｃｏｌ　Ｄａｔａ　Ｕｎｉｔ；以下単にＢＰＤＵと呼ぶ）というフレームを送受信している。このＢＰＤＵは各スパニングツリー用ブリッジ装置間の同報フレームであり、同じ伝送経路に接続された全てのスパニングツリー用ブリッジ装置がこのフレームを送受信する。各スパニングツリー用ブリッジ装置は、受信したＢＰＤＵの内容によって自装置内の各ポートの状態を決定し、更に自装置内の指定ポートからＢＰＤＵを送信する。
【０００３】
従来、スパニングツリー用ブリッジ装置では、自装置内の各ポートは、メッセージエイジタイマと呼ばれるタイマをそれぞれ持ち、ルートポートおよびブロッキング状態のポート（閉鎖ポートとも呼ぶ）ではそれぞれのタイマを使用してＢＰＤＵを監視する。ＢＰＤＵが所定の期間確認されない場合は、タイマがタイムアウトする。スパニングツリー用ブリッジ装置は、現用系伝送経路に接続されたポートにおいて上述のタイムアウトが発生した場合、使用する伝送経路を予備系伝送経路に変更するために、現用系伝送経路に接続された当該ポートの状態をルートポートから閉鎖ポートへ変更し且つ予備系伝送経路に接続されたポートの状態を閉鎖ポートからルートポートに変更する。このような変更処理を実行することにより、スパニングツリー用ブリッジ装置において予備系伝送経路に接続されたポートが送受信可能な状態となり、使用する伝送経路を現用系伝送経路から予備系伝送経路へ変更することが可能となる（例えば、特許文献１参照）。
【０００４】
【特許文献１】
特開平６−３５０６０６号公報
【０００５】
【発明が解決しようとする課題】
しかしながら、従来の技術においては、スパニングツリー用ブリッジ装置の各ポートにおいてタイムアウトとして判断されるために設定されたタイムアウト設定時間は通常２０秒とされているため、現用系伝送経路に接続されているポートにおいてタイムアウトと認識されるまで最大２０秒を要することとなり、現用系伝送経路から予備系伝送経路への変更に時間を要していた。このため、現用系伝送経路に障害が発生した場合に、使用する伝送経路を予備系伝送経路に変更するまでの時間を短縮することが望まれていた。
【０００６】
【課題を解決するための手段】
そこで本発明の通信システムは、以下の特徴的な構成で上述の課題を解決する。
【０００７】
すなわち、本発明の通信システムは、第１ポートおよび第２ポートを有し当該各ポートの状態をスパニングツリープロトコルに従って変更し、ＢＰＤＵを前述の第１ポートから出力する第１のスパニングツリー用ブリッジ装置と、この第１ポートに接続された第１伝送経路と、前述の第２ポートに接続された第２伝送経路と、この第１伝送経路の他端に接続された第３ポートおよびこの第２伝送経路の他端に接続された第４ポートを有し当該第３および第４ポートの状態をスパニングツリープロトコルに従って変更する第２のスパニングツリー用ブリッジ装置とから構成される通信システムであって、第２のスパニングツリー用ブリッジ装置は、第３ポートが受信するＢＰＤＵを監視し当該ＢＰＤＵが所定の第１の期間検出されなかった場合にタイムアウト検出信号を出力するタイムアウト検出手段と、第３ポートへの受信信号を監視し当該受信した信号がこの第１の期間よりも短い第２の期間検出されなかった場合にリンク断検出信号を出力するリンク断検出手段と、タイムアウト検出信号或いはリンク続断検出信号のいずれか一方を入力した場合に第３ポートを閉鎖ポートとし且つ第４ポートをルートポートと変更するポート設定変更手段とを備える。
【０００８】
また、本発明のスパニングツリー用ブリッジ装置は、以下の特徴的な構成で上述の課題を解決する。
【０００９】
すなわち、本発明のスパニングツリー用ブリッジ装置は、ルートポートとして設定され、第１伝送経路を介して他のスパニングツリー用ブリッジ装置に接続された第５ポートと、閉鎖ポートとして設定され、第２伝送経路を介して前述した他のスパニングツリー用ブリッジ装置に接続された第６ポートと、前述した他のスパニングツリー用ブリッジ装置から第５ポートに入力されるＢＰＤＵを監視し、当該ＢＰＤＵが所定の第１の期間検出されなかった場合にタイムアウト検出信号を出力するタイムアウト検出手段と、第５ポートへの信号入力が前述の第１の期間よりも短い第２の期間検出されなかった場合にリンク断検出信号を出力するリンク断検出手段と、タイムアウト検出信号或いはリンク続断検出信号のいずれか一方を入力した場合に第５ポートを閉鎖ポートとし且つ第６ポートをルートポートと変更するポート設定変更手段とを備える。
【００１０】
また、本発明のスパニングツリー用ブリッジ装置のポート状態変更方法は、以下の特徴的な方法で上述の課題を解決する。
【００１１】
すなわち、本発明のポート状態変更方法は、ルートポートとして設定され第１伝送経路を介して他のスパニングツリー用ブリッジ装置に接続された第５ポートと、閉鎖ポートとして設定され第２伝送経路を介して前述した他のスパニングツリー用ブリッジ装置に接続された第６ポートとを有するスパニングツリー用ブリッジ装置のポート状態変更方法であって、（ａ）前述した他のスパニングツリー用ブリッジ装置から第５ポートに入力されるＢＰＤＵを監視するステップと、（ｂ）第５ポートへの信号入力を監視するステップと、（ｃ）ステップ（ａ）においてＢＰＤＵが所定の第１の期間検出されなかった場合、或いはステップ（ｂ）において信号入力が第１の期間よりも短い第２の期間検出されなかった場合に第５ポートを閉鎖ポートとし且つ第６ポートをルートポートと変更するステップとを備える。
【００１２】
【発明の実施の形態】
次に、図面を参照しながら、本発明の実施の形態を説明するが、本発明は以下の実施の形態に限定されるものではない。
【００１３】
（実施の形態１）
本実施の形態１では、本発明は加入者アクセスシステムの一つであるＥＰＯＮ（Ｅｔｈｅｒｎｅｔ（登録商標）　Ｐａｓｓｉｖｅ　Ｏｐｔｉｃａｌ　Ｎｅｔｗｏｒｋ）システムに適用されている。図１は、本実施の形態１におけるＥＰＯＮシステムの構成図である。図１において、ＥＰＯＮシステム１は、スパニングツリー用ブリッジ装置２を備えている。スパニングツリー用ブリッジ装置２は、スパニングツリープロトコルにおけるルートブリッジとして機能する装置であり、ポート２ａおよびポート２ｂを有している。ポート２ａは、初期設定として、スパニングツリープロトコルにおける指定ポート（Ｄｅｓｉｇｎａｔｅｄ　Ｐｏｒｔ）に設定されており、ポート２ｂは閉鎖ポート（Ｂｌｏｃｋｅｄ　Ｐｏｒｔ）に設定されている。スパニングツリー用ブリッジ装置２は、ポート２ａおよびポート２ｂの状態をスパニングツリープロトコルに従って決定する機能を有する。
【００１４】
スパニングツリー用ブリッジ装置２のポート２ａには、ケーブル３を介して局内加入者収容装置ＬＴ１が接続されている。局内加入者収容装置ＬＴ１には、光ファイバ４を介してスターカプラＳＣ１が接続されている。スターカプラＳＣ１には複数の光ファイバ５１，…，５ｎを介して複数の宅内加入者終端装置ＮＴ１１，…，ＮＴ１ｎが接続されている。スパニングツリー用ブリッジ装置２のポート２ｂには、ケーブル６を介して局内加入者収容装置ＬＴ２が接続されている。局内加入者収容装置ＬＴ２には、光ファイバ７を介してスターカプラＳＣ２が接続されている。スターカプラＳＣ２には複数の光ファイバ８１，…，８ｎを介して複数の宅内加入者終端装置ＮＴ２１，…，ＮＴ２ｎが接続されている。
【００１５】
宅内加入者終端装置ＮＴ１１およびＮＴ２１には、ケーブル９，１０を介してスパニングツリー用ブリッジ装置１１が接続されている。スパニングツリー用ブリッジ装置１１は、ケーブル９に接続されるポート１１ａと、ケーブル１０に接続されるポート１１ｂを有している。本実施の形態１において、ポート１１ａはスパニングツリープロトコルにおけるルートポートに設定され、ポート１１ｂは閉鎖ポートに設定されている。宅内加入者終端装置ＮＴ１１およびＮＴ２１と同様に、宅内加入者終端装置ＮＴ１ｉ（ｉ＝２，…，ｎ）およびＮＴ２ｉ（ｉ＝２，…，ｎ）についてもスパニングツリー用ブリッジ装置（図示せず）が接続されている。ＥＰＯＮシステム１においては、局内加入者収容装置ＬＴ１、光ファイバ４およびスターカプラＳＣ１を介して接続された各宅内加入者終端装置ＮＴ１１，…，ＮＴ１ｎが現用系伝送経路として使用され、局内加入者収容装置ＬＴ２、光ファイバ７およびスターカプラＳＣ２を介して接続された各宅内加入者終端装置ＮＴ２１，…，ＮＴ２ｎが予備系伝送経路として使用される。
【００１６】
次に、図２を用いて上述した局内加入者収容装置ＬＴ１の構成を説明する。図２は、実施の形態１の局内加入者収容装置を機能ブロックで示した構成図である。なお、本実施の形態１では、これら各装置ＬＴ１の構成において本発明に関係する機能ブロックのみを説明し、その他の機能については説明を省略する。
【００１７】
図２において、局内加入者収容装置ＬＴ１は、リンク断検出手段２１と、信号出力停止手段２２を有している。リンク断検出手段２１は、ケーブル３とのリンク状態を監視し、当該リンク状態が切断された場合にリンク断検出信号を出力する機能を有している。信号出力停止手段２２は、リンク断検出信号を監視し、リンク断検出信号が入力された場合に光ファイバ４への信号出力を停止する機能を有している。リンク断検出手段２１は、スパニングツリー用ブリッジ装置２から送信される特定の制御信号を監視し、当該制御信号がＢＰＤＵの送信間隔より短い所定期間確認されなかった場合に、リンク断検出信号を出力する。例えば、リンク断検出手段２１は、ケーブル３が１０ＢＡＳＥ−Ｔの規格に準拠したより対線ケーブルの場合、スパニングツリー用ブリッジ装置２からＮＬＰｓ（Ｎｏｒｍａｌ　Ｌｉｎｋ　Ｐｕｌｓｅ）が所定の期間（１秒）監視されなかったときにリンク断検出信号を出力する。また、局内加入者収容装置ＬＴ１が１００ＢＡＳＥ−ＦＸ、１０００ＢＡＳＥ−Ｔ、１０００ＢＡＳＥ−ＳＸ或いは１０００ＢＡＳＥ−ＬＸの規格に準拠している場合には、定期的にスパニングツリー用ブリッジ装置２から送信されるＳｃｒａｍｂｌｅｄ　Ｉｄｌｅ信号を監視することによりリンク断の検出を行う。
【００１８】
宅内加入者終端装置ＮＴ１１は、局内加入者収容装置ＬＴ１と同様にリンク断検出手段と信号出力停止手段とを有している（図示は省略）。宅内加入者終端装置ＮＴ１１のリンク断検出手段は、局内加入者収容装置ＬＴ１から送信される特定の制御信号を監視し、当該制御信号がＢＰＤＵの送信間隔より短い所定期間確認されなかった場合に、リンク断検出信号を出力する。例えば、当該リンク断検出手段は、スターカプラＳＣ１を介して局内加入者収容装置ＬＴ１から送信される有効パケット信号間に存在するアイドルパターンを監視し、当該アイドルパターンが最大パケット長の３倍に相当する期間検出されなかった場合にＬＯＦ（Ｌｏｓｓ　Ｏｆ　Ｆｒａｍｅ）と判断し、局内加入者収容装置ＬＴ１とのリンク状態が切断されたと認識する。
【００１９】
更に、宅内加入者終端装置ＮＴ１１のリンク断検出手段は、局内加入者収容装置ＬＴ１が信号出力を停止したことを検出する機能を有している。この機能については、例えば、局内加入者収容装置ＬＴ１からの信号出力が局内加入者収容装置２におけるＢＰＤＵの送信間隔より短い所定時間検出されなかった場合にリンク状態が切断されていると認識する。本実施の形態１では、局内加入者収容装置ＬＴ１と宅内加入者終端装置ＮＴ１１との間は光ファイバで接続されているので、宅内加入者終端装置ＮＴ１１への光信号の入力がＢＰＤＵの送信間隔より短い所定時間（例えば１秒間）検出されなかった場合にＬＯＳ（Ｌｏｓｓ　ｏｆ　ｓｉｇｎａｌ）と判断し、局内加入者収容装置ＬＴ１とのリンク状態が切断されたと認識する。宅内加入者終端装置ＮＴ１１は、リンク状態が切断されたことを認識した場合、スパニングツリーブリッジ装置１１への信号出力を停止する機能を有している。
【００２０】
次に、図３を用いて上述したスパニングツリー用ブリッジ装置１１の構成を説明する。図３は、本実施の形態１のスパニングツリー用ブリッジ装置１１を機能ブロックで示した構成図である。なお、本実施の形態１では、スパニングツリー用ブリッジ装置１１の構成において本発明に関係する機能ブロックのみを説明し、その他の機能については説明を省略する。
【００２１】
図３において、スパニングツリー用ブリッジ装置１１は、タイムアウト検出手段３１と、リンク断検出手段３２と、ポート設定変更手段３３とを有している。タイムアウト検出手段３１は、ポート１１ａが受信するＢＰＤＵを監視し、ＢＰＤＵが所定のタイムアウト設定時間（本実施の形態では２０秒）検出されなかった場合に、タイムアウト検出信号を出力する。リンク断検出手段３２は、ポート１１ａが受信する信号を監視し、スパニングツリー用ブリッジ装置２におけるＢＰＤＵの送信間隔より短い間隔で送信される信号を監視する機能を有している。更に、リンク断検出手段３２は、宅内加入者終端装置ＮＴ１１が信号出力を停止したことを検出する機能、すなわち、局内加入者収容装置ＬＴ１からの信号出力がＢＰＤＵの送信間隔より短い所定期（例えば１秒間）間検出されなかった場合にリンク状態が切断されていると認識する機能を有している。リンク断検出手段３２はリンク状態が接続されていることを認識した場合にリンク断検出信号を出力する。
【００２２】
ポート設定変更手段３３は、タイムアウト検出手段３１およびリンク断検出手段３２のいずれか一方からタイムアウト検出信号或いはリンク断検出信号が出力された場合、ポート１１ａおよび１１ｂの状態を変更する機能を有している。すなわち、ポート設定変更手段３３は、タイムアウト検出信号或いはリンク断検出信号を受信すると、ポート１１ａの状態をルートポートから閉鎖ポートへ変更するとともに、ポート１１ｂの状態を閉鎖ポートからルートポートへ変更する。この変更によりスパニングツリー用ブリッジ装置１１では、ポート１１ｂが伝送経路１０と信号送受信可能な状態となる。
【００２３】
本実施の形態１においては、局内加入者収容装置ＬＴ１、宅内加入者終端装置ＮＴ１１およびスパニングツリー用ブリッジ装置１１の各リンク断検出手段における監視のための所定期間は、各々の合計が、スパニングツリー用ブリッジ装置１１のタイムアウト検出手段のタイムアウト設定時間よりも短い時間になるように設定されており、この条件を満たす範囲内で任意に変更することが可能である。
【００２４】
上述のように構成されたＥＰＯＮシステム１において、スパニングツリー用ブリッジ装置２およびスパニングツリー用ブリッジ装置１１間の現用系伝送経路に障害が発生した場合について説明する。
【００２５】
図２において、ケーブル３に障害が発生した場合、局内加入者収容装置ＬＴ１のリンク断検出手段２１がスパニングツリー用ブリッジ装置２から送信されるべき制御信号がスパニングツリー用ブリッジ装置２におけるＢＰＤＵの送信間隔より短い期間検出されなかったときに、ケーブル３とのリンク状態が切断されたと認識しリンク断検出信号を出力する。信号出力停止手段２２は、このリンク断検出信号を受信し、光ファイバ４への信号出力を停止する。この局内加入者収容装置ＬＴ１では、スパニングツリー用ブリッジ装置２におけるＢＰＤＵの送信間隔より短い時間でリンク状態の切断を検出することができる。
【００２６】
局内加入者収容装置ＬＴ１からの信号出力が停止されたため、宅内加入者終端装置ＮＴ１１は、ケーブル９への信号出力を停止する。宅内加入者終端装置ＮＴ１１においても、スパニングツリー用ブリッジ装置２におけるＢＰＤＵの送信間隔より短い時間でリンク状態の切断を検出することができる。
【００２７】
スパニングツリー用ブリッジ装置１１のリンク断検出手段３２は、宅内加入者終端装置ＮＴ１１が信号出力を停止したため、リンク断検出信号を出力する。このスパニングツリー用ブリッジ装置１１においても、スパニングツリー用ブリッジ装置２におけるＢＰＤＵの送信間隔より短い時間でリンク状態の切断を検出することができる。したがって、スパニングツリー用ブリッジ装置１１のリンク断検出手段３２は、ケーブル３で障害が発生してからリンク断検出信号を出力するまでの処理を、タイムアウト検出手段３１におけるタイムアウト設定時間よりも短時間で実行することが可能となる。
【００２８】
ポート設定変更手段３３は、ポート１１ａの状態を閉鎖ポートに変更するとともに、ポート１１ｂの状態をルートポートに変更する。ルートポートに変更されたポート１１ｂは、スパニングツリープロトコルに従って、スパニングツリーに再構成が発生したことをスパニングツリー用ブリッジ装置２に通知するためにＴＣＮ−ＢＰＤＵ（Ｔｏｐｏｌｏｇｙ　Ｃｈａｎｇｅ　Ｎｏｔｉｆｉｃａｔｉｏｎ　ＢＰＤＵ）を出力する。ＴＣＮ−ＢＰＤＵは、加入者終端装置ＮＴ２１、スターカプラＳＣ２および局内加入者収容装置ＬＴ２を経由して、スパニングツリー用ブリッジ装置２に送信される。スパニングツリー用ブリッジ装置２では、受信したＴＣＮ−ＢＰＤＵを用いてスパニングツリープロトコルに従ってスパニングツリーの再構成の処理を実行することにより、スパニングツリー用ブリッジ装置２およびスパニングツリー用ブリッジ装置１１間の伝送経路を現用系から予備系に変更することが可能となる。
【００２９】
なお、図１において光ファイバ４、スターカプラＳＣ１および光ファイバ５１のいずれかで障害が発生した場合、宅内加入者終端装置ＮＴ１１においてリンク状態が切断されたことが検出されるとともに、伝送経路９への信号出力が停止され、その後の処理については上述と同様の処理が実行される。
【００３０】
本実施の形態１においては、スパニングツリー用ブリッジ装置１１における障害検出の時間を短縮することにより、現用系の伝送経路から予備系の伝送経路への変更を短時間に実行することが可能となる。
【００３１】
（実施の形態２）
次に本発明の実施の形態２について図４を用いて説明する。図４は、実施の形態２の局内加入者収容装置を機能ブロックで示した構成図であり、実施の形態１における図２に対応する図である。なお、本実施の形態２の説明において、実施の形態１の構成要素に対応する構成要素には同一の符号を付して、その詳細な説明を省略する。
【００３２】
図４において、局内加入者収容装置ＬＴ１は、リンク断検出手段４１，４２および信号出力停止手段４３を有している。リンク断検出手段４１は、リンク断検出手段２１と同様の機能を有しており、ケーブル３とのリンク状態を監視し、当該リンク状態が切断された場合にリンク断検出信号を出力する機能を有している。リンク断検出手段４２は、光ファイバ４とのリンク状態を監視し、当該リンク状態が切断された場合にリンク断検出信号を出力する機能を有している。信号出力停止手段４３は、リンク断検出手段４１，４２から入力される各リンク断検出信号を監視し、リンク断検出手段４１，４２のいずれか一方からリンク断検出信号が入力された場合に光ファイバ４への信号出力を停止する機能を有している。
【００３３】
本実施の形態２において、各宅内加入者終端装置ＮＴ１１，…，ＮＴ１ｎから局内加入者収容装置ＬＴ１への信号伝送では、各宅内加入者終端装置ＮＴ１１，…，ＮＴ１ｎが使用する帯域を共有しており、各々が所定のタイムスロットで信号を伝送する時分割多重伝送方式で行われる。局内加入者収容装置ＬＴ１では、リンク断検出手段４２が各宅内加入者終端装置ＮＴ１１，…，ＮＴ１ｎから伝送される各信号のタイミングを監視しており、各宅内加入者終端装置ＮＴ１１，…，ＮＴ１ｎからの伝送信号が所定のタイムスロットに従っていない場合にリンク断検出信号を出力する。
【００３４】
本実施の形態２によれば、図１に示すＥＰＯＮシステム１において、光ファイバ４、スターカプラＳＣ１或いは光ファイバ５１，…，５ｎのいずれかで障害が発生した場合には、局内加入者収容装置ＬＴ１においてリンク断検出手段４２が光ファイバ４とのリンク状態が切断したことを検出し、信号出力停止手段４３が光ファイバ４への信号出力を停止する。宅内加入者終端装置ＮＴ１１は、実施の形態１と同様に、信号出力停止手段４３が光ファイバ４への信号出力を停止したことを検出し、スパニングツリー用ブリッジ装置１１への信号出力を停止する。以降、スパニングツリー用ブリッジ装置１１では実施の形態１と同様の処理を実行し、タイムアウト検出手段３１におけるタイムアウト設定時間よりも短時間で障害発生を検出することが可能となる。
【００３５】
本実施の形態２においては、前述した実施の形態１に加え、更に各宅内加入者終端装置ＮＴ１１，…，ＮＴ１ｎから局内加入者収容装置ＬＴ１への信号伝送における障害についても、スパニングツリー用ブリッジ装置１１が短時間で検出することが可能となる。
【００３６】
【発明の効果】
以上述べた様に本発明の通信システムによれば、第１ポートおよび第２ポートを有し当該各ポートの状態をスパニングツリープロトコルに従って変更し、ＢＰＤＵを前述の第１ポートから出力する第１のスパニングツリー用ブリッジ装置と、この第１ポートに接続された第１伝送経路と、前述の第２ポートに接続された第２伝送経路と、この第１伝送経路の他端に接続された第３ポートおよびこの第２伝送経路の他端に接続された第４ポートを有し当該第３および第４ポートの状態をスパニングツリープロトコルに従って変更する第２のスパニングツリー用ブリッジ装置とから構成される通信システムであって、第２のスパニングツリー用ブリッジ装置は、第３ポートが受信するＢＰＤＵを監視し当該ＢＰＤＵが所定の第１の期間検出されなかった場合にタイムアウト検出信号を出力するタイムアウト検出手段と、第３ポートへの受信信号を監視し当該受信した信号がこの第１の期間よりも短い第２の期間検出されなかった場合にリンク断検出信号を出力するリンク断検出手段と、タイムアウト検出信号或いはリンク続断検出信号のいずれか一方を入力した場合に第３ポートを閉鎖ポートとし且つ第４ポートをルートポートと変更するポート設定変更手段とを備える。このため、第１伝送経路に何らかの障害が発生した場合に、使用する伝送経路を第２伝送経路に変更するまでの時間を短縮することができる。
【図面の簡単な説明】
【図１】実施の形態１におけるＥＰＯＮシステムの構成図である。
【図２】実施の形態１の局内加入者収容装置を機能ブロックで示した構成図である。
【図３】実施の形態１のスパニングツリー用ブリッジ装置１１を機能ブロックで示した構成図である。
【図４】実施の形態２の局内加入者収容装置を機能ブロックで示した構成図であり、実施の形態１における図２に対応する図である。
【符号の説明】
ＬＴ１，ＬＴ２…局内加入者収容装置、ＮＴ１１〜ＮＴ１ｎ，ＮＴ２１〜ＮＴ２ｎ…宅内加入者終端装置、ＳＣ１，ＳＣ２…スターカプラ。
１…ＥＰＯＮシステム、２，１１…スパニングツリー用ブリッジ装置、２ａ，２ｂ，１１ａ，１１ｂ…ポート、３，６，９，１０…ケーブル、、４，５１〜５ｎ，７，８１〜８ｎ…光ファイバ、２１，４１，４２…リンク断検出手段、２２，４３…信号出力停止手段、３１…タイムアウト検出手段、３２…リンク断検出手段、３３…ポート設定変更手段。
【図１】
2004134971.tif 000003
【図２】
2004134971.tif 000004
【図３】
2004134971.tif 000005
【図４】
2004134971.tif 000006